(57)【特許請求の範囲】
【請求項１】
回転軸を備えた電子部品と、前記回転軸に固定されるノブとを備えた操作装置において、前記ノブが前記回転軸に取り付けられるベース部材と、このベース部材に弾性部材を介して固定される操作部材とからなり、上端が円錐状となる傾斜部を備えた挿入部を前記ベース部材に設け、前記挿入部が挿入されるとともにその開口近傍にすり鉢状に形成される傾斜面を備えた凹部を前記操作部材に設け、前記弾性部材によって前記挿入部の傾斜部と前記凹部の傾斜面との間に空間を設けるとともに、前記ベース部材と前記操作部材とを固定する固定部を前記ベース部材と前記操作部材とに設けたことを特徴とする操作装置。
【請求項２】
前記固定部が前記操作部材の弾性腕片に設けた係止爪と、前記ベース部材の外周に形成した壁と連結部とに設けた切り欠きとからなることを特徴とする請求項１に記載の操作装置。
【請求項３】
前記弾性部材を前記操作部材に一体に形成したことを特徴とする請求項１または２に記載の操作装置。
【請求項４】
前記弾性部材を前記ベース部材に一体に形成したことを特徴とする請求項１または２に記載の操作装置。
【発明の詳細な説明】
【０００１】
【発明の属する技術分野】
本発明は、操作装置に関し、特に、電子部品の回転軸に固定されるノブに特徴を有する操作装置に関する。
【０００２】
【従来の技術】
図６，７で示すように、従来の操作装置は、例えば複数の計器を備えた、いわゆるコンビネーションメータと呼ばれる計器装置５１に適用されている。この計器装置５１は、指針を備えた計器を３つ備えており、図６中、左側から、エンジン回転計５２、速度計５３、燃料計５４がそれぞれ配置されている。また、速度計５３の下方に、液晶表示素子からなる表示器５５を備えている。この表示器５５は、車両の走行距離を表示するものである。また、見返し５６には、文字やシンボルマークなどから構成される表示部５７が設けられている。また、表示器５５近傍の見返し５６に、操作装置５８が設けられている。この操作装置５８は表示器５５で表示される走行距離をリセットしたり、計器装置５１の照明の明るさを調整するものである。
【０００３】
この操作装置５８は、回転軸５９と、この回転軸５９を保持するベース部５９ａとを備えた電子部品６０と、回転軸５９に固定されるノブ６１とから構成されている。ノブ６１は合成樹脂から形成されている。電子部品６０はガラスエポキシ樹脂などからなる硬質の配線基板６２に固定されているとともに、配線基板６２に設けた図示しない配線パターンと電気的に接続されている。なお、６３は見返し５６の背後（図７中下側）に設けられるケースであり、ケース６３は白色の合成樹脂製である。６４は、見返し５６の前方（図７中上側）に設けられるフードであり、フード６４は光が透過する透明な合成樹脂製である。見返し５６、ケース６３、フード６４には、それぞれ円形の開口６５，６６が設けられている。６７は配線基板５２の背後に設けられるカバーで、合成樹脂製である。このカバー６７には、配線基板６２に当たる当接部６８が設けられている。この当接部６８は配線基板６２の電子部品６０に対応する部分に当たっている。
【０００４】
回転軸５９の先端側は、その断面形状がＤの字状であり、回転軸５９が挿入されるノブ６１の凹部６９は、回転軸５９が挿入可能な形状である。これによって、ノブ６１を回転操作すると、空回りすることなく、ノブ６１とともに回転軸５９も回転する。また、ノブ６１の下端には鍔部７０を備えており、この鍔部７０の径は、開口６５の径より大きく設定されているので、ノブ６１がはずれることはない。
【０００５】
【発明が解決しようとする課題】
この操作装置５８を構成する電子部品６０とノブ６１とは、公差を非常に小さく設定して組み付けられているので、ノブ６１の凹部６９と回転軸５９との径方向のガタつきは少ない。また、電子部品６０の回転軸５９とベース部５９ａとも遊びの少ない構造であった。このため、操作装置５８全体で見ると、非常に遊びが少なくガタつきにくくできていた。このため、計器装置５１を組み付けるときに、ノブ６１を見返し５６やフード６４のそれぞれの開口６５，６６に通す必要があるが、ノブ６１が開口６５，６６に当たって、組み付けにくかったり、あるいは、ノブ６１や見返し５６とフード６４に傷が付いたり、また、計器装置５１を構成する各部品の熱膨張などの変形を吸収することができず、ノブ６１や見返し５６とフード６４に傷が付くなどの問題点があった。
【０００６】
そこで、この問題点を解決するために、見返し５６やフード６４の開口６５，６６をノブ６１の径に対して、大きく設計したり、電子部品６０の回転軸５９がベース部５９ａに対して、軸がずれるような特殊な電子部品とするなどの解決策が提案されている。しかし、見返し５６やフード６４の開口６５，６６を大きくすることは、見た目も悪くなり、デザイン上好ましいものではなかった。また、特殊な電子部品６０を採用することは、部品の価格が上昇し、ひいてはコスト上昇を招くので好ましいものではなかった。そこで、本発明は、前記問題点を解決するために、組み付け時や熱膨張などのズレを吸収することが可能な操作装置を提供することを目的とするものである。
【０００７】
【課題を解決するための手段】
本発明は前記目的を達成するため、回転軸を備えた電子部品と、前記回転軸に固定されるノブとを備えた操作装置において、前記ノブが前記回転軸に取り付けられるベース部材と、このベース部材に弾性部材を介して固定される操作部材とからなり、上端が円錐状となる傾斜部を備えた挿入部を前記ベース部材に設け、前記挿入部が挿入されるとともにその開口近傍にすり鉢状に形成される傾斜面を備えた凹部を前記操作部材に設け、前記弾性部材によって前記挿入部の傾斜部と前記凹部の傾斜面との間に空間を設けるとともに、前記ベース部材と前記操作部材とを固定する固定部を前記ベース部材と前記操作部材とに設けたものである。
【０００８】
また、前記固定部が前記操作部材の弾性腕片に設けた係止爪と、前記ベース部材の外周に形成した壁と連結部とに設けた切り欠きとからなるものである。
【００１１】
また、前記弾性部材を前記操作部材に一体に形成したものである。
【００１２】
また、前記弾性部材を前記ベース部材に一体に形成したものである。
【００１３】
【発明の実施の形態】
本発明の操作装置１は、回転軸５９を備えた電子部品６０と、この回転軸５９に固定されるノブ２とを備えた操作装置１において、ノブ２が回転軸５９に取り付けられるベース部材３と、このベース部材３に弾性部材であるコイルばね４を介して固定される操作部材５とからなり、上端が円錐状となる傾斜部８ａを備えた挿入部８をベース部材３に設け、挿入部８が挿入されるとともにその開口１３近傍にすり鉢状に形成される傾斜面１４を備えた凹部１２を操作部材５に設け、
コイルばね４によって挿入部８の傾斜部８ａと凹部１２の傾斜面１４との間に空間を設けるとともに、ベース部材３と操作部材５とを固定する固定部をベース部材３と操作部材５とに設けたものである。このように構成したことにより、組み付け時や熱膨張などのズレを吸収することが可能な操作装置１を提供することができる。
【００１４】
また、固定部が操作部材５の弾性腕片１８に設けた係止爪１７と、ベース部材３の外周に形成した壁６と連結部１０とに設けた切り欠き１１とからなるものである。このように構成したことにより、組み付け時や熱膨張などのズレを吸収することが可能な操作装置１を提供することができる。
【００１７】
また、弾性部材であるばね片１９を操作部材５やベース部材３に一体に形成したものである。このように構成したことにより、組み付け時や熱膨張などのズレを吸収することが可能な操作装置を提供することができる。また、部品点数が削減されるので、コストと組み付け工数を削減することが可能な操作装置を提供することができる。
【００１８】
【実施例】
以下図面を用いて本発明の一実施例を説明する。なお、前記従来例と同一及び相当箇所には同一符号を付してその詳細な説明は省略する。
【００１９】
本実施例の操作装置１は、車両用の計器装置５１に用いられるものである。本実施例の操作装置１は、表示器５５にて表示する表示内容を切り替えたり、あるいは、計器装置５１の照明の明暗を調整するものである。
【００２０】
操作装置１は、回転軸５９とベース部５９ａとを備えた電子部品６０と、回転軸５９に固定されるノブ２とを備えている。このノブ２は回転軸５９に取り付けられるベース部材３と、このベース部材３に弾性部材であるコイルばね４を介して固定される操作部材５とから構成されている。
【００２１】
ベース部材３は合成樹脂製で、ほぼ円筒形状で、その外周に壁６を備えている。また、ベース部材３はその壁６内に、さらに筒部７を備えている。この筒部７の上側に挿入部８を備えている。この挿入部８には、回転軸５９が貫通するＤの字状の孔９が設けられている。また、挿入部８の上端（図３，図４中上側）は、円錐状となるように、傾斜部８ａを備えている。また、壁６と、この壁６と筒部７とを結ぶ連結部１０とに、切り欠き１１を２つ備えている。
【００２２】
操作部材５は挿入部８と回転軸５９が挿入される凹部１２を備えている。この凹部１２は円柱状の窪みであり、凹部１２は回転軸５９は当接しないように設定されている。また、凹部１２の開口１３の近傍には、すり鉢状に形成されるために、傾斜面１４を備えている。また、凹部１２内の上側半分以上には、操作部材５の強度を保つために、リブ１５が十字状に形成されている。また、操作部材５の下端の全周には、鍔部１６が形成されており、この鍔部１６の径は、ケース６３の開口６５の径より大きく設定されているので、操作部材５が開口６５から抜け出ることはない。また、リブ１５の下端は、回転軸５９には当接しないように設定されている。
【００２３】
また、鍔部１６には、係止爪１７を備えた弾性腕片１８が設けられている。この係止爪１７がベース部材３の切り欠き１１に係合することで、操作部材５とベース部材３とを固定するものであり、また、操作部材５の凹部１２からベース部材３の挿入部８の抜けを防止するものであり、切り欠き１１と係止爪１７とで、ベース部材３と操作部材５の固定部を構成している。また、切り欠き１１と係止爪１７とが係止することにより、ベース部材３と操作部材５との周り止めをも兼ねている。このため、操作部材５を回転操作すると、空回りすることなくベース部材３が回転し、ひいては、回転軸５９も回転する。
【００２４】
また、ベース部材３の筒部７の周りに、コイルばね４が位置している。つまり、コイルばね４内に筒部７が挿入されている。そして、コイルばね４の下端は、連結部１０に当接し、コイルばね４の上端は、操作部材５の開口１３の近傍に当接している。このコイルばね４は、操作部材５の凹部１２からベース部材３の挿入部８が抜ける方向（操作部材５とベース部材３とを離間させる方向）に、常に力を加えている。従って、このコイルばね４によって、操作部材５の凹部１２とベース部材３の挿入部８との間は、離れている。なお、操作部材５を下方（ベース部５９側）に押し操作する際や、あるいは、操作部材５を回転操作する際に、コイルばね４が変形するので、操作部材５とベース部材３とは接触する。
【００２５】
このように、回転軸５９とベース部材３とは空回りしないように固定され、回転軸５７の凹部１２の空間は大きく、操作部材５と接触しないようなっている。また、操作部材５とベース部材３との間に、微少の空間を設けたことにより、ベース部材３に対して操作部材５がガタついて（操作部材５の先端側が切り欠き１１と係止爪１７を支点として振れて）見返し５６やフード６４が組みやすくなる。また、熱膨張などの変形を吸収することができ、ひいては、熱膨張などのズレを吸収することが可能な操作装置１を提供することができる。
【００２６】
また、ベース部材３と操作部材５との接触部分に、それぞれ、傾斜部８ａと傾斜面１４を設けたことにより、ノブ２の操作時にベース部材３と操作部材５との接触面積を増やすことができ、ベース部材３と操作部材５の耐久性を向上させることができる。
【００２７】
また、コイルばね４を設けたことにより、ベース部材３と操作部材５との間には、常にコイルばね４の力が加わっているので、操作装置１に振動が加わったとしても、ベース部材３と操作部材５との衝突による異音（カタカタという音）の発生を防止することができる。
【００２８】
なお、前記実施例では、弾性部材にコイルばね４を採用したが、コイルばね４ではなく、他の実施例として図５で示すように、弾性部材を弾性を有するばね片１９を操作部材５に一体に形成したものであっても良い。この場合は、前記実施例の作用効果に加えて、部品点数が削減されるので、コストと組み付け工数を削減することができる。
【００２９】
あるいは、図示していないが、ばね片１９をベース部材３に一体に形成したものであっても良い。
【００３０】
【発明の効果】
以上、本発明によれば、所期の目的を達成することができ、組み付け時や熱膨張などのズレを吸収することが可能な操作装置を提供することができる。
【図面の簡単な説明】
【図１】本発明を適用した計器装置の正面図である。
【図２】図１中Ａ−Ａ線の部分断面図である。
【図３】図１中Ａ−Ａ線の断面図である。
【図４】図１中Ｂ−Ｂ線の断面図である。
【図５】  本発明の他の実施例の断面図である。
【図６】従来の計器装置の正面図である。
【図７】図５中のＣ−Ｃ線の断面図である。
【符号の説明】
１    操作装置
２    ノブ
３    ベース部材
４    コイルばね（弾性部材）
５    操作部材
８    挿入部
８ａ  傾斜部
１１    切り欠き（固定部）
１２    凹部
１３    開口
１４    傾斜面
１７    係止爪（固定部）
１９    ばね片
５９    回転軸
６０    電子部品
【図１】
0003743999.tif 000002
【図２】
0003743999.tif 000003
【図３】
0003743999.tif 000004
【図４】
0003743999.tif 000005
【図５】
0003743999.tif 000006
【図６】
0003743999.tif 000007
【図７】
0003743999.tif 000008